(57)【要約】【課題】電子錠による施錠・解錠が可能な収納用筐体であって、停電時において電子錠を設けたキャビネットを一括して解錠する構造を少ない工数とコストで提供する。【解決手段】電子機器等の収納を可能とする電子錠による収納用筐体であって、収納用筐体はリーダー制御部又はブランク部と、複数のキャビネットと、ロック解除レバーとからなり、リーダー制御部又はブランク部には外部からの操作が可能な物理キーを設けると共に内部に孔部を設け、複数のキャビネットは夫々の内部に電子錠と孔部とを設け、ロック解除レバーは孔部を貫通して設けると共に、リーダー制御部又はブランク部内部において先端をツマミ部とし、電子錠に当接可能な枝部を設けてなり、ツマミ部の操作によって枝部が当接することにより電子錠の解錠を可能とした。【選択図】図２
2010216193.tif 000002
【特許請求の範囲】
【請求項１】
電子機器等の収納を可能とする電子錠による収納用筐体であって、該収納用筐体はリーダー制御部又はブランク部と、複数のキャビネットと、ロック解除レバーとからなり、前記リーダー制御部又はブランク部には外部からの操作が可能な物理キーを設けると共に内部に孔部を設け、前記複数のキャビネットは夫々の内部に電子錠と孔部とを設け、前記ロック解除レバーは前記孔部を貫通して設けると共に、前記リーダー制御部又はブランク部内部において先端をツマミ部とし、前記電子錠に当接可能な枝部を設けてなり、前記ツマミ部の操作によって前記枝部が当接することにより前記電子錠の解錠を可能としたことを特徴とする電子錠一括解錠構造。
【発明の詳細な説明】
【技術分野】
【０００１】
本発明は、電子錠を設けたキャビネットにおいて、停電時に一括してキャビネットを解錠する構造に関するものである。
【背景技術】
【０００２】
従来、ユニット化したキャビネットを電子錠を用いて管理するものには特許文献１に記載されているような、１段目（最上段）の引出しには、ＩＣカードリーダと、この出力でロックを解除する制御部及び機構と、開錠信号を送信する赤外線ユニットとを備え、２段目と３段目の引出しは、開錠信号を送受信する赤外線ユニットと、この出力でロックを解除する制御部及び機構とを備える。ＩＣカードリーダで受信した開錠信号で１段目を開錠すると共に、開錠信号を２段目へ送る。受信した開錠信号で２段目を開錠すると共に、開錠信号を３段目へ送る。このように開錠信号がリレーされることで、複数の引出しを一括して開錠するものがある。
【０００３】
しかし、上記の発明では赤外線ユニットによって開錠信号を送信するため、赤外線ユニットへの電源の供給が止まる停電時等には開錠できないという欠点がある。
【０００４】
この改善策として、特許文献２に記載されているような、電子錠を施錠又は解錠するためのキー情報として部屋番号や暗証番号を入力するキー入力器と、キー入力器より入力されたキー情報を表示する表示器と、部屋番号に対応して電子錠を解錠するための暗証番号を記憶する記憶器と、ロッカーに物品を収納したときのキー入力器の部屋番号の入力によって電子錠を施錠し、記憶器に予め記憶された暗証番号とキー入力器からの暗証番号とを照合して一致したときに電子錠を解錠するマイクロコンピュータと、駆動電力を供給する電池とを備えたテンキー錠ユニットがそれぞれ配設されるものを用いることが考えられる。
【先行技術文献】
【特許文献】
【０００５】
【特許文献１】特開２００８−０１３９７４号公報
【特許文献２】特開平０８−２１８６９６号公報
【発明の概要】
【発明が解決しようとする課題】
【０００６】
しかしながら、特許文献２に記載の発明では、テンキー錠ユニットを各ロッカーに配設するため配設用のスペースが必要となると共に、組立の際の工数、及び部材にかかるコストが増えるという欠点がある。
【課題を解決するための手段】
【０００７】
上記した課題を解決するためになされた本発明の電子錠一括解錠構造は、電子機器等の収納を可能とする電子錠による収納用筐体であって、収納用筐体はリーダー制御部又はブランク部と、複数のキャビネットと、ロック解除レバーとからなり、リーダー制御部又はブランク部には外部からの操作が可能な物理キーを設けると共に内部に孔部を設け、複数のキャビネットは夫々の内部に電子錠と孔部とを設け、ロック解除レバーは孔部を貫通して設けると共に、リーダー制御部又はブランク部内部において先端をツマミ部とし、電子錠に当接可能な枝部を設けてなり、ツマミ部の操作によって枝部が当接することにより電子錠の解錠を可能とした。
【発明の効果】
【０００８】
本発明の電子錠一括解錠構造によれば、リーダー制御部又はブランク部と複数のキャビネットとを貫通してロック解除レバーを設け、このロック解除レバーは複数のキャビネット内部に設けた電子錠に枝部によって当接可能に設けてあるため、ツマミ部の操作によって各電子錠の一括での解錠が可能である。又、一括した手動での操作であるため、複数のキャビネットにおいて夫々に解錠するための部材を取付ける必要がなく、組立の際の工数が増える恐れを防ぐことが可能である。又、使用する部材が減るため、コストを削減することが可能である。
【０００９】
又、リーダー制御部又はブランク部内部に設けたツマミ部による手動での操作が可能であるため、電源の通っていない停電時等での解錠が可能である。
【図面の簡単な説明】
【００１０】
【図１】図１は本発明の実施例１における収納用筐体の全体正面図である。
【図２】図２は図１における断面図である。
【図３】図３は図２におけるＡの拡大図である。
【図４】図４は図１における開いた状態のリーダー制御部の拡大斜視図である。
【発明を実施するための形態】
【００１１】
本発明では、電源の供給がされない停電時等において、電子錠の施錠解除を一括で行うことの出来る構造を低いコストと少ない組立工数で可能にした。
【実施例１】
【００１２】
電子機器等の収納を可能とする電子錠１４、２４による収納用筐体１、１１、３１であって、収納用筐体１、１１、３１は一段目に設けたリーダー制御部３、１３、３３と、二段目以降に設けた複数のキャビネット２、１２、２２、３２と、ロック解除レバー１６、２６、３６とからなり、リーダー制御部３、１３、３３には外部からの操作が可能な物理キーを設けると共に内部に孔部１５、２５、３５を設け、複数のキャビネット２、１２、２２、３２は夫々の内部に電子錠１４、２４と孔部とを設け、ロック解除レバー１６、２６、３６は孔部１５、２５、３５を貫通して設けると共に、リーダー制御部３、１３、３３内部において先端をツマミ部１７、３７とし、電子錠１４、２４に当接可能な枝部１７、３７を設けてなり、ツマミ部１７、３７の操作によって枝部１７、３７が当接することにより電子錠１４、２４の解錠を可能とした。リーダー制御部３、１３、３３は外面にＩＣカード等の読み取りが可能なカードリーダー部９、３９と、物理キーによる施錠・解錠が可能なシリンダー錠１０、４０を設け、内面にロック解除レバー１６、２６、３６の先端を折曲して形成したツマミ部１７、３７を設ける。複数のキャビネット２、１２、２２、３２は内部に夫々電子錠１４、２４を設け、電子錠１４、２４は夫々ロック解除レバー１６、２６、３６と接続される。これにより、通常時はカードリーダー部９、３９にＩＣカード等をかざすことで、あらかじめ設定されたキャビネット２、１２、２２、３２内部の電子錠１４、２４の施錠・解錠が可能である。停電時等はシリンダー錠１０、４０を物理キーで解錠し、ツマミ部１７、３７の操作を行うことが可能であると共に、ツマミ部１７、３７の操作によって枝部１８、２８が電子錠１４、２４に当接し、夫々のキャビネット２、１２、２２、３２に設けられた電子錠１４、２４の解錠が可能である。又、各キャビネット２、１２、２２、３２にそれぞれシリンダー錠１０、４０を設ける必要がないため、部材にかかるコストの削減が可能であると共に、組み込み工数の削減により作業効率の向上を図ることが可能である。又、シリンダー錠１０、４０の鍵を管理者が管理することで監視をし易くすることが可能である。
【００１３】
なお、リーダー制御部又はブランク部を配置する位置については本実施例による位置に限定されるものではなく、本発明の趣旨を変更しない範囲で適宜変更可能である。
【産業上の利用可能性】
【００１４】
収納用筐体内部に貫通して設けたロック解除レバーによって、各キャビネットにシリンダー錠、又は補助電源等による動作が可能なリーダー制御部を組み込むためのスペースを設ける必要がなく、組込工数及び部材のコストを削減することが可能である。
【符号の説明】
【００１５】
１、１１、３１    収納用筐体
２、１２、２２、３２    キャビネット
３、１３、３３    リーダー制御部
１４、２４    電子錠
１５、２５、３５    孔部
１６、２６、３６    ロック解除レバー
１７、３７    ツマミ部
１８、２８    枝部
９、３９    カードリーダー部
１０、４０    シリンダー錠
【図１】
2010216193.tif 000003
【図２】
2010216193.tif 000004
【図３】
2010216193.tif 000005
【図４】
2010216193.tif 000006